(57)【要約】  【目的】圧電形スピーカを音響出力手段として内蔵する音響再生装置を提供する。  【構成】携帯型ＭＤ再生装置３０は、ＭＤ１に記録されたデジタル・オーディオ・データを読み出し、再生し、出力する音響再生装置であって、主面２ａに放音孔３を備えるとともに前記主面２ａに対向する開放側の端面２ｂが前記携帯型ＭＤ再生装置３０の筺体１９に固定手段Ｋ１によって接着固定された蓋状のスピーカ筺体２と、外周部分５が前記スピーカ筺体２の内部に前記主面２ａから所定間隔離して接着固定されるように外周部分５に振動吸収特性を有するスペーサ６が配設された振動板７と、薄膜電極８が主面に形成されるとともに前記振動板７の両面に固着された圧電材９からなる圧電素子１０と、前記圧電素子１０の薄膜電極８から筺体１９内の出力回路２１に導電接続する接続手段Ｋ２と、を有する圧電形スピーカ１７を音響出力手段として備える構造である。【選択図】  図１
2005130156.tif 000002
【特許請求の範囲】
【請求項１】
ディスク記録媒体に記録されたデジタル・オーディオ・データを読み出し、再生し、筺体に取り付けられた圧電形スピーカから出力する音響再生装置であって、
前記圧電形スピーカは、主面に放音孔を備えるとともに前記主面に対向する開放側の端面が前記音響再生装置の筺体に固定手段によって接着固定された蓋状のスピーカ筺体と、外周部分が振動吸収特性を有するスペーサを介して前記スピーカ筺体の内部に前記主面から所定間隔離して接着固定された振動板と、薄膜電極が主面に形成されるとともに前記振動板の片面又は両面に固着された圧電材からなる圧電素子と、前記圧電素子の前記薄膜電極から前記音響再生装置の筺体内の出力回路に導電接続する接続手段と、を有する圧電形スピーカであることを特徴とする音響再生装置。
【発明の詳細な説明】
【技術分野】
【０００１】
本発明は、コンパクト・ディスク（略してＣＤと称される。）、ミニ・ディスク（略してＭＤと称される。）或いはＤＶＤオーディオ等のディスク記録媒体に記録されたデジタル・オーディオ・データを読み出し、再生し、出力する音響再生装置に関し、特に、携帯型の音響再生装置の音響出力手段に関する。
【背景技術】
【０００２】
従来よりＣＤやＭＤ等を再生する携帯型の音響再生装置（再生専用装置及び記録再生装置を含む。）が商品化されているが、これら携帯型の音響再生装置はその筺体の容積の小さいこと及び駆動源として電池を用いていることからダイナミック・スピーカを筺体に内蔵させることが困難であり、再生・増幅された音声を専ら音響出力手段としてのイヤホン或いはヘッドホンで聴く方式が採用されている。
【０００３】
また、上記携帯型の音響再生装置の中には、配備された外部出力端子にアンプとダイナミック・スピーカを別途接続して、屋内で据え置きのＣＤ／ＭＤステレオコンポとしても利用することができるタイプもある。
【０００４】
一方、種々の家庭電化製品において、単音乃至単純な複数音階のお知らせブザーとして汎用されているスピーカに圧電形スピーカ（主としてチタンジルコン酸鉛（ＰＺＴ）等の強誘電体セラミックス等を圧電材を振動源とするスピーカ。）がある。
【０００５】
上記圧電形スピーカは、一般に主面に銀ペースト等を塗布して薄膜電極が形成された圧電材からなる薄い圧電素子が直径２０ｍｍ程度の薄い円板形状の真鍮等の振動板の中央に貼着され、前記薄膜電極からリード線が導出された圧電要素をプラスチック等のスピーカ筺体に収納した構造であり、前記圧電要素の厚さは１ｍｍ以下と非常に薄く、小型、低消費電力、低コストに特徴を有する。しかし、音楽を再生対象とする音響再生装置のスピーカとしては、可聴域の周波数特性が悪く出力も小さいので、前述のように家庭電化製品のブザーや電話機のスピーカ程度に適用範囲が限られていた。
【０００６】
最近では、上記圧電形スピーカの小型・薄型、低消費電力等の特徴を生かして、デスクトップ型或いはラップトップ型のパーソナルコンピュータに内蔵されるスピーカとしての適用が為され始めている。
【０００７】
この点、下記［特許文献１］には、コンピュータ等の可撓性を有するポリマーのハウジング（シェル）に圧電スピーカの振動板を直接に取り付けて、振動板と共にハウジング自身を機械的に振動させて音を出すようにした構成の圧電形スピーカを音響出力手段とする技術が記載されている。
【０００８】
【特許文献１】特表２００２−５０７８４９号公報
【発明の開示】
【発明が解決しようとする課題】
【０００９】
最近では、上記圧電形スピーカの周波数特性の改善が進み、音響再生装置における簡易の音響出力手段のスピーカとして適用が可能になってきている。
【００１０】
ＣＤやＭＤ或いはＤＶＤオーディオ等のディスク記録媒体に記録されたデジタル・オーディオ・データを読み出し、再生し、出力する携帯型の音響再生装置において、イヤホンやヘッドホン以外の音響出力手段として、装置内蔵のスピーカを備えることはユーザーにとってディスク記録媒体の再生確認等の際に便利であることは疑いないが、再生中にディスク記録媒体の読み出し手段である光ピックアップ部に極力振動を与えないようにすることが特に重要となる。
【００１１】
この点、仮に携帯型の小さな音響再生装置の筺体にダイナミック・スピーカを備え付けるとスピーカの振動が筺体から光ピックアップに伝わってしまうので問題があり、また、前述のようにスピーカの占有容積、消費電力の点でも採用が難しかった。
【００１２】
また、前記［特許文献１］の圧電形スピーカの振動を筺体に積極的に伝達させて筺体自身をも振動させてスピーカとして利用する技術は、ラップトップ型コンピュータ等の比較的大きな電子機器に対しては採用可能であるが、ディスク記録媒体を再生し、出力する小さな携帯型の音響再生装置に対しては振動の影響を回避する観点から採用できない。
【００１３】
本発明は上記事情に鑑みてなされたものであり、特に、ディスク記録媒体に記録されたデジタル・オーディオ・データを読み出し、再生し、出力する携帯型の音響再生装置における音響出力手段として、圧電形スピーカを備えた音響再生装置を提供することを課題とする。
【課題を解決するための手段】
【００１４】
本発明は、上記課題を達成するために、ディスク記録媒体１に記録されたデジタル・オーディオ・データを読み出し、再生し、筺体１９に取り付けられた圧電形スピーカ１７から出力する音響再生装置３０であって、前記圧電形スピーカ１７は、主面２ａに放音孔３を備えるとともに前記主面２ａに対向する開放側の端面２ｂが前記音響再生装置３０の筺体１９に固定手段Ｋ１によって接着固定された蓋状のスピーカ筺体２と、外周部分５が振動吸収特性を有するスペーサ６を介して前記スピーカ筺体２の内部に前記主面２ａから所定間隔離して接着固定された振動板７と、薄膜電極８が主面に形成されるとともに前記振動板７の片面又は両面に固着された圧電材９からなる圧電素子１０と、前記圧電素子１０の前記薄膜電極８から前記音響再生装置３０の筺体１９内の出力回路２１に導電接続する接続手段Ｋ２と、を有する圧電形スピーカ１７であることを特徴とする音響再生装置３０を提供する。
【発明の効果】
【００１５】
本発明に係る音響再生装置は、上記のように構成されているため、
（１）圧電形スピーカの振動板の振動が音響再生装置の筺体とスピーカの筺体との間に介されたスペーサに吸収されて音響再生装置の筺体に直接伝わらず、ディスク記録媒体の光ピックアップ部に圧電形スピーカの振動の影響を与えないので、音飛びの生じない安定した再生ができる。
（２）サイズアップが殆ど無しに低コストでスピーカを音響出力手段として内蔵するディスク記録媒体に記録されたデジタル・オーディオ・データを読み出し、再生し、出力する携帯型の音響再生装置が実現する。
【発明を実施するための最良の形態】
【００１６】
本発明に係る音響再生装置の最良の実施の形態につき、適用が想定される携帯型ＭＤ再生装置を例に図面に基づいて説明する。
【００１７】
図１は、本発明に係る携帯型ＭＤ再生装置の圧電形スピーカを取り付けた構造を説明するための模式断面図である。図２は、本発明に係る圧電形スピーカの取り付け構造を説明するための拡大模式断面図である。図３は、本発明に係る携帯型ＭＤ再生装置の外観例を示す斜視図である。
【００１８】
図１又は図２又は図３において、本発明に係る携帯型ＭＤ再生装置３０は、ディスク記録媒体（ＭＤ）１に記録されたデジタル・オーディオ・データを光ピックアップ部Ｐで読み出し、再生し、出力する音響再生装置であって、特に、主面２ａに放音孔３を備えるとともに前記主面２ａに対向する開放側の端面２ｂが前記携帯型ＭＤ再生装置３０の筺体１９に固定手段Ｋ１によって接着固定された蓋状のスピーカ筺体２と、外周部分５が振動吸収特性を有するスペーサ６を介して前記スピーカ筺体２の内部に前記主面２ａから所定間隔離して接着固定された振動板７と、薄膜電極８が主面に形成されるとともに前記振動板７の両面（又は片面）に固着された圧電材９からなる圧電素子１０と、前記圧電素子１０の前記薄膜電極８から前記携帯型ＭＤ再生装置３０の筺体１９内の出力回路２１に導電接続する接続手段Ｋ２と、を有する圧電形スピーカ１７を音響出力手段として備えることを特徴とする。
【００１９】
この携帯型ＭＤ再生装置３０では、圧電素子１０を固着した振動板７を直接に携帯型ＭＤ再生装置３０の筺体１９に取り付けるのではなく、スピーカ筺体２に振動吸収特性を有するスペーサ６を介して取り付け、このスピーカ筺体２が上記携帯型ＭＤ再生装置３０の筺体１９に取り付けられている２ハウジング構成なので、光ピックアップ部Ｐに圧電スピーカ１７の振動を直接伝えず、振動／音圧を抑制した音響再生装置を実現しているのである。以下、各部材を説明する。
【００２０】
上記スピーカ筺体２は、プラスチック製若しくはアルミ等の金属製であり、高さ２〜３ｍｍ程度の薄い蓋状のシェルとなっていて、図３に示されるように携帯型ＭＤ再生装置３０の筺体１９の外表面に固定手段Ｋ１で固定されている。この固定手段Ｋ１は例えば強力な接着力を有する両面接着テープや合成樹脂接着剤である。
【００２１】
上記スペーサ６は、厚さ０．５〜１．５ｍｍ、幅２ｍｍ程度で振動板７の直径に合わせたリング形状であり、所謂スポンジ形態の多孔質ゴムからなり、振動吸収特性を有するものである。このスペーサ６の厚さは動板７と筺体１９との間を所定間隔離して振動板７の振動空間を確保するとともに振動を筺体１９に伝えないのに必要十分な厚さとする。
【００２２】
上記振動板７は、直径２０〜３０ｍｍ、厚さ０．０２〜０．１ｍｍ程度の円形の銅板、リン青銅板、ステンレス板或いはアルミ板等である。
【００２３】
上記圧電材９は、一枚又は積層成形された円盤状のチタンジルコン酸鉛（ＰＺＴ）等の強誘電体セラミックスであり、上記薄膜電極８は、例えば銀ペーストを前記圧電材（一枚又は積層された複数枚）の各主面に塗布形成したものである。上記圧電素子１０を固着した振動板７からなる圧電要素は、振動板７が直径２３ｍｍの円板状の場合で厚さ０．７ｍｍ程度と非常に薄いものである。
【００２４】
上記接続手段Ｋ２は、例えば図２に示されるように、前記薄膜電極８から振動板７の径方向に導出された各リード線１４がターミナル端子１５に接続され、携帯型ＭＤ再生装置３０の筺体１９内の出力回路２１からイヤホン２２との出力切替スイッチＳＷを介して接続されているターミナル端子１６と導通するように構成されている。
【００２５】
なお、上記構造に加えて、図１、図２の携帯型ＭＤ再生装置３０では、振動板７の音響再生装置側にアルミ等の金属製或いはプラスチック製のカバー１２が設けられており、これも振動板７の外周部にスペーサ６と同様のスペーサ６′を介して所定距離離して配設されている。
【００２６】
上記カバー１２には、中央に放音孔１３が設けられているものの、概ね振動板７の振動による音圧を音響再生装置側に直接放出しないようにする音圧調整手段の作用を有しており、配設することが望ましい。
【００２７】
上記構造の携帯型ＭＤ再生装置３０は、音響出力手段として薄くて小さい圧電形スピーカ１７を内蔵していることから、付加価値の高い製品であるにもかかわらず、コストや容積の増加は従来品と比べて殆どなく、ダイナミック・スピーカで問題となる漏洩磁束もないという特長を有する。
【００２８】
念のために付言すれば、以上の説明は携帯型ＭＤ再生装置であったが、これ以外のディスク記録媒体の音響再生装置、例えば携帯型ＣＤ再生装置や携帯型ＤＶＤオーディオ再生装置等も本発明の音響再生装置の射程内であることは勿論である。
【図面の簡単な説明】
【００２９】
【図１】本発明に係る音響再生装置の模式断面図である。
【図２】本発明に係る音響再生装置における圧電形スピーカの取り付け構造を示す拡大断面図である。
【図３】本発明に係る携帯型のＭＤ再生装置の斜視図である。
【符号の説明】
【００３０】
１    ディスク記録媒体（ＭＤ）
２    スピーカ筺体
２ａ  主面
２ｂ  開放側端面
３、１３    放音孔
５    振動板の外周部分
６、６′  スペーサ
７    振動板
８    薄膜電極
９    圧電材
１０    圧電素子
１２    カバー
１４    リード線
１５、１６    ターミナル端子
１７    圧電形スピーカ
１９    筺体
２１    出力回路
２２    イヤホン
３０    携帯型ＭＤ再生装置
Ｋ１    固定手段
Ｋ２    接続手段
ＳＷ    出力切替スイッチ
【図１】
2005130156.tif 000003
【図２】
2005130156.tif 000004
【図３】
2005130156.tif 000005